(57)【特許請求の範囲】
【請求項１】
加入者識別子毎に加入者情報を管理する加入者管理サーバと、
前記加入者情報を操作可能な加入者制御サーバと、
を備え、
前記加入者制御サーバは、前記加入者情報に対する操作内容と、前記操作内容を識別するための権利識別子と、前記操作内容を付与してよいか否かを示す付与条件とを関連付けて保存するデータベースと、前記データベースを参照することにより、前記加入者管理サーバを介して所定の通信ノードから送信された要求信号に含まれる前記権利識別子に対応する操作内容を特定し、特定した前記操作内容に関連付けられた前記付与条件が満たされた場合に、特定した前記操作内容を前記加入者管理サーバへ送信する制御部と、を備え、
前記加入者管理サーバは、前記加入者制御サーバから受信した操作内容に基づいて、前記加入者情報を操作する
ことを特徴とする移動通信システム。
【請求項２】
前記通信ノードは、移動端末であることを特徴とする請求項１記載の移動通信システム。
【請求項３】
前記要求信号は、前記移動端末が接続開始時に送信する接続要求信号であることを特徴とする請求項２記載の移動通信システム。
【請求項４】
前記要求信号は、前記移動端末が接続した後の任意のタイミングに送信する要求信号であることを特徴とする請求項２記載の移動通信システム。
【請求項５】
前記接続後要求信号は、加入者情報更新要求信号であることを特徴とする請求項４記載の移動通信システム。
【請求項６】
前記通信ノードは、無線基地局であることを特徴とする請求項１記載の移動通信システム。
【請求項７】
前記無線基地局は、複数の前記権利識別子を保持し、所定の条件に応じて、移動端末からの接続要求に対して付与する権利識別子を決定することを特徴とする請求項６記載の移動通信システム。
【請求項８】
加入者管理サーバに保持される加入者情報に対する操作内容と、前記操作内容を識別するための権利識別子と、前記操作内容を付与してよいか否かを示す付与条件とを関連付けて保存するデータベースと、
該データベースを参照することにより、前記加入者管理サーバを介して所定の通信ノードから送信された要求信号に含まれる前記権利識別子に対応する操作内容を特定し、特定した前記操作内容に関連付けられた前記付与条件が満たされた場合に、特定した前記操作内容を前記加入者管理サーバへ送信する制御手段と
を備えることを特徴とする加入者制御サーバ。
【請求項９】
加入者管理サーバに保持される加入者情報に対する操作内容と、前記操作内容を識別するための権利識別子と、前記操作内容を付与してよいか否かを示す付与条件とを関連付けてデータベースに保存し、
該データベースを参照することにより、前記加入者管理サーバを介して所定の通信ノードから送信された要求信号に含まれる前記権利識別子に対応する操作内容を特定し、特定した前記操作内容に関連付けられた前記付与条件が満たされた場合に、特定した前記操作内容を前記加入者管理サーバへ送信し、
前記加入者管理サーバにおいて、特定された操作内容に基づいて前記加入者情報が操作される
ことを特徴とする加入者情報操作方法。
【発明の詳細な説明】
【技術分野】
【０００１】
本発明は、移動通信システム、加入者制御サーバ、および加入者情報操作方法に関する。
【背景技術】
【０００２】
図３６は、非特許文献１に記載される移動通信システム、例えば、３ＧＰＰ（３ｒｄ  Ｇｅｎｅｒａｔｉｏｎ  Ｐａｒｔｎｅｒｓｈｉｐ  Ｐｒｏｊｅｃｔ）の移動通信システム１の構成図である。この移動通信システム１は、移動通信サービスを提供するモバイルオペレータにより管理される。移動通信システム１は、移動端末１００と、加入者管理サーバ２００と、移動管理ノード３００と、を少なくとも含む。
【０００３】
移動端末は、無線インターフェースを備え、無線基地局（図３６においては不図示）を介してコアネットワークへ接続する。また、移動端末１００は、ＵＩＣＣ（Ｕｎｉｖｅｒｓａｌ  Ｉｎｔｅｇｒａｔｅｄ  Ｃｉｒｃｕｉｔ  Ｃａｒｄ）を挿入するためのスロットを備える。ＵＩＣＣには、加入者を識別するための加入者ＩＤ（Ｉｄｅｎｔｉｆｉｅｒ）が格納されている。移動端末１００は、接続要求信号の中にこの加入者ＩＤを格納してコアネットワークに通知する。加入者ＩＤの例としては、例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を挙げることができる。
【０００４】
加入者管理サーバ２００は、加入者に関する加入者情報を管理する。加入者管理サーバ２００は、例えば３ＧＰＰにおいてはＨＳＳ（Ｈｏｍｅ  Ｓｕｂｓｃｒｉｂｅｒ  Ｓｅｒｖｅｒ）に該当する。
【０００５】
図３７は、非特許文献１に記載されている内容であって、加入者管理サーバ２００によって管理される加入者情報の内容を示す図である。加入者情報は、加入者ＩＤ（例えば、ＩＭＳＩ）をキーとしてデータベース管理され、基本契約情報や、接続先ＰＤＮ（Ｐａｃｋｅｔ  Ｄａｔａ  Ｎｅｔｗｏｒｋ）情報等を含む。基本契約情報は、課金方法、アクセス制限、接続可能なフェムトセル（ＣＳＧ  ＩＤ：Ｃｌｏｓｅｄ  Ｓｕｂｓｃｒｉｂｅｒ  Ｇｒｏｕｐ  ＩＤ）、移動端末１００が利用できる最大の総合ビットレート（Ａｇｇｒｅｇａｔｅｄ  Ｍａｘ  Ｂｉｔ  Ｒａｔｅ）等の情報を含む。また、接続先ＰＤＮ情報は、接続先のＰＤＮ毎にＰＤＮサブスクリプションコンテキストとして各々に管理される。各ＰＤＮサブスクリプションコンテキストは、課金や通信品質などの詳細な情報を各々に含む。
【０００６】
移動管理ノード３００は、移動端末１００の認証処理を仲介すると共に、移動端末１００の通信制御を行う。尚、移動管理ノード３００における通信制御のポリシーは、移動端末１００から通知される加入者ＩＤに対応した加入者情報に基づいて決定される。そして、移動管理ノード３００は、加入者情報を、加入者管理サーバ２００から取得する。移動管理ノード３００は、例えば３ＧＰＰにおいてはＭＭＥ（Ｍｏｂｉｌｉｔｙ  Ｍａｎａｇｅｍｅｎｔ  Ｅｎｔｉｔｙ）に該当する。
【０００７】
図３８は、非特許文献１に記載されている内容であって、移動通信システム１の処理（移動端末１００の接続要求送信から移動管理ノード３００の通信制御ポリシーが決定するまでの処理）を説明するためのシーケンス図である。
【０００８】
移動端末１００は、初期接続処理時において、接続要求（３ＧＰＰの場合、Ａｔｔａｃｈ  Ｒｅｑｕｅｓｔ）を、移動管理ノード３００へ送信する（ステップＳ１００）。この場合、接続要求には、移動端末１００の加入者ＩＤ（例えば、ＩＭＳＩ）が格納されている。
【０００９】
移動管理ノード３００は、上記加入者ＩＤを含む加入者情報要求（３ＧＰＰの場合、Ｕｐｄａｔｅ  Ｌｏｃａｔｉｏｎ  Ｒｅｑｕｅｓｔ）を、加入者管理サーバ２００へ送信する（ステップＳ１０１）。
【００１０】
加入者管理サーバ２００は、データベースを検索することにより、受信した加入者情報要求に格納されている加入者ＩＤに対応した加入者情報を取得する（ステップＳ１０２）。加入者管理サーバ２００は、加入者情報要求に格納されている加入者ＩＤと該加入者ＩＤに対応した加入者情報とを含む加入者情報応答（３ＧＰＰの場合、Ｕｐｄａｔｅ  Ｌｏｃａｔｉｏｎ  Ａｃｋ）を、移動管理ノード３００へ送信する（ステップＳ１０３）。
【００１１】
移動管理ノード３００は、その加入者情報を加入者ＩＤの通信制御ポリシーとして適用し、前記通信制御ポリシーを基に通信パス（ベアラ）を張る（ステップＳ１０４）。
【００１２】
一方、図３８には示さないが、上記接続処理完了後に、移動端末１００の通信環境が変更された場合、移動端末１００は、移動管理ノード３００に対して、加入者ＩＤを含む通信環境更新要求を送信することもできる。通信環境更新要求の例として、例えば、３ＧＰＰにおける、Ｔｒａｃｋｉｎｇ  Ａｒｅａ  Ｕｐｄａｔｅ  ＲｅｑｕｅｓｔやＲｏｕｔｉｎｇ  Ａｒｅａ  Ｕｐｄａｔｅ  Ｒｅｑｕｅｓｔを挙げることができる。これにより、加入者管理サーバ２００にて管理されている加入者情報に応じて移動管理ノード３００の通信制御ポリシーが更新され、移動管理ノード３００は、更新された通信制御ポリシーに応じて通信パス（ベアラー）を更新または張り直す処理を行う。
【００１３】
一方、特許文献１は、無線通信サービスの加入者情報を管理する加入者情報管理サーバについて記載する。また、特許文献２は、あるネットワークデバイスに何らかの障害が発生したとき、そのネットワークデバイスを管理する管理者に対して、ネットワーク管理装置側から、固有の符号である操作用ＩＤを付与することについて記載する。
【先行技術文献】
【非特許文献】
【００１４】
【非特許文献１】３ＧＰＰ  ＴＳ  ２３．４０１  Ｖ９．４．０  “Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【特許文献】
【００１５】
【特許文献１】特開２００９−２０７００８号公報
【特許文献２】特開２００５−１４１７７２号公報
【発明の概要】
【発明が解決しようとする課題】
【００１６】
図３６〜図３８を用いて説明した非特許文献１記載の技術において、移動管理ノード３００の移動端末１００に対する通信制御ポリシーの決定は、加入者管理サーバ２００によって管理される加入者情報に基づいて決定される。従って、通信制御ポリシーを追加、削除、あるいは変更しようとする場合、加入者管理サーバ２００上の加入者情報を追加、削除、あるいは変更する必要がある。しかしながら、非特許文献１記載の技術の場合、加入者情報を変更する場合、変更権限を保持しているかの認証処理が必要である。また、加入者情報の変更には、変更項目の選択や決定といった煩雑な入力処理が必要となる。以上のことから、ユーザにとって、加入者情報の操作（追加、削除、あるいは変更等）は容易ではない。さらに、加入者情報を変更する場合にモバイルオペレータが管理する加入者変更サイトに接続する等の準備が必要となる場合がある。すなわち、初期接続時においては加入者情報の操作を行うことができないといった問題もある。
【００１７】
一方、特許文献１や特許文献２に記載された各技術のみ、あるいはこれらを組み合わせたとしても、上記課題（すなわち、加入者情報の操作が容易ではなく、タイミングも限定されている）を解決することは困難である。
【００１８】
本発明は、容易に、しかも初期接続時も含む任意のタイミングで、加入者情報の操作を行うことが可能な移動通信システム、加入者制御サーバ、および加入者情報操作方法を提供することにある。
【課題を解決するための手段】
【００１９】
本発明の移動通信システムは、加入者識別子毎に加入者情報を管理する加入者管理サーバと、前記加入者情報を操作可能な加入者制御サーバと、を備え、前記加入者制御サーバは、前記加入者情報に対する操作内容を、該操作内容を識別するための権利識別子と関連付けて保存するデータベースと、前記データベースを参照することにより、前記加入者管理サーバを介して所定の通信ノードから送信された要求信号に含まれる前記権利識別子に対応する操作内容を特定し、特定した操作内容を前記加入者管理サーバへ送信する制御部と、を備え、前記加入者管理サーバは、前記加入者制御サーバから受信した操作内容に基づいて、前記加入者情報を操作する。
【００２０】
本発明の加入者制御サーバは、加入者管理サーバに保持される加入者情報に対する操作内容を、該操作内容を識別するための権利識別子と関連付けて保存するデータベースと、該データベースを参照することにより、前記加入者管理サーバを介して所定の通信ノードから送信された要求信号に含まれる前記権利識別子に対応する操作内容を特定し、特定した操作内容を前記加入者管理サーバへ送信する制御手段とを備える。
【００２１】
本発明の加入者情報操作方法は、加入者管理サーバに保持される加入者情報に対する操作内容を、該操作内容を識別するための権利識別子と関連付けてデータベースに保存し、該データベースを参照することにより、前記加入者管理サーバを介して所定の通信ノードから送信された要求信号に含まれる前記権利識別子に対応する操作内容を特定し、特定した操作内容を前記加入者管理サーバへ送信し、前記加入者管理サーバにおいて、特定された操作内容に基づいて前記加入者情報が操作される。
【発明の効果】
【００２２】
本発明によれば、容易に、しかも初期接続時も含む任意のタイミングで、加入者情報の操作を行うことが可能となる。
【図面の簡単な説明】
【００２３】
【図１】本発明の第１の実施形態に係る移動通信システムの構成例を説明するためのシステム構成図である。
【図２】図１に示す加入者制御サーバの構成例を説明するブロック図である。
【図３】図２に示す加入者制御サーバを構成する制御権利ＩＤ内容管理テーブルの内容の一例である。
【図４】図３に示す制御権利ＩＤ内容管理テーブル４０２で管理される加入者制御パラメータの詳細図である。
【図５】図２に示す加入者制御サーバを構成する制御権利ＩＤ付与加入者管理テーブルの内容の一例である。
【図６】図１に示す移動端末の構成例を説明するブロック図である。
【図７】図１に示す移動管理ノードの構成例を説明するブロック図である。
【図８】図１に示す加入者管理サーバの構成例を説明するブロック図である。
【図９】図８に示す加入者管理サーバを構成する制御情報管理テーブルの内容の一例である。
【図１０】図８に示す加入者管理サーバを構成する制御情報付与後加入者情報管理テーブルの内容の一例である。
【図１１】第１の実施形態の移動端末の動作例（制御権限ＩＤの入力から接続要求を送信するまでの動作）を示すフローチャートである。
【図１２】第１の実施形態の移動管理ノードの動作例（接続要求の受信から加入者情報要求の送信までの動作）を示すフローチャートである。
【図１３】第１の実施形態の加入者管理サーバの動作例（加入者情報要求を受信し、加入者情報応答を送信するまでの動作）を示すフローチャートである。
【図１４】第１の実施形態の加入者管理サーバの動作例（制御情報付与後加入者情報管理テーブルを更新する際の詳細な動作）を示すフローチャートである。
【図１５】第１の実施形態の加入者制御サーバの動作例（加入者制御情報要求の受信から加入者制御情報応答の送信までの動作）を示すフローチャートである。
【図１６】第１の実施形態の移動通信システムの動作例（移動端末の初期接続時の動作であって、より詳細には、移動端末の接続要求送信から移動管理ノードの通信制御ポリシーが適用されるまでの処理）を説明するためのシーケンス図である。
【図１７】本発明の第２の実施形態の移動端末の構成例を説明するためのブロック図である。
【図１８】本発明の第２の実施形態の移動管理ノードの構成例を説明するためのブロック図である。
【図１９】本発明の第２の実施形態の移動端末の動作例（加入者情報更新トリガーを取得した際の動作）を示すフローチャートである。
【図２０】本発明の第２の実施形態の移動管理ノードの動作例（移動端末から加入者情報更新要求を取得した際の動作）を示すフローチャートである。
【図２１】本発明の第３の実施形態の加入者制御サーバの構成例を説明するためのブロック図である。
【図２２】図２１に示す加入者制御サーバを構成する制御権利ＩＤ内容管理テーブルで管理される内容を示す図である。
【図２３】本発明の第３の実施形態の加入者制御サーバの動作例を示すフローチャートである。
【図２４】本発明の第４の実施形態の加入者制御サーバの構成例を説明するためのブロック図である。
【図２５】図２４に示す加入者制御サーバを構成する制御権利ＩＤ内容管理テーブルで管理される内容を示す図である。
【図２６】本発明の第４の実施形態の加入者管理サーバの構成例を説明するためのブロック図である。
【図２７】図２６に示す加入者管理サーバを構成する制御情報管理テーブルで管理される内容を示す図である。
【図２８】本発明の第４の実施形態の加入者管理サーバの動作例を示すフローチャートである。
【図２９】本発明の第５の実施形態に係る移動通信システム１０の構成例を説明するシステム構成図である。
【図３０】図２９に示す無線基地局の構成例を説明するためのブロック図である。
【図３１】図３０に示す制御権利ＩＤ設定ポリシー管理ＤＢの内容の一例を示す。
【図３２】図３０に示す接続要求パラメータ変更内容管理ＤＢの内容の一例を示す。
【図３３】第５の実施形態の無線基地局の動作例（移動端末からの接続要求を受信し、接続要求に対して制御権利ＩＤの設定及び要求のパラメータの変更を行う際の動作）を示すフローチャートである。
【図３４】第５の実施形態の移動通信システムの動作例（移動端末の接続時における、無線基地局が移動端末の接続要求を受けて、移動管理ノードへ接続要求を送信するまでの処理動作）を説明するためのシーケンス図である。
【図３５】本発明の第６の実施形態に係る移動通信システムの構成例を説明するためのシステム構成図である。
【図３６】非特許文献１に記載される移動通信システムの構成図である。
【図３７】図３６に示す移動通信システムの加入者管理サーバが管理する加入者情報の内容示す図である。
【図３８】図３６に示す移動通信システムの処理（移動端末の接続要求送信からモビリティ管理ノードの通信制御ポリシーが決定するまでの処理）を説明するためのシーケンス図である。
【発明を実施するための形態】
【００２４】
［第１の実施形態］
図１は、本発明の第１の実施形態に係る移動通信システム１０の構成例を説明するためのシステム構成図である。移動通信システム１０の、図３６に示す移動通信システム１に対する基本的な違いは、新たに加入者制御サーバ４００Ａが追加されている点にある。また、移動端末１１０Ａ、加入者管理サーバ２１０Ａ、および移動管理ノード３１０Ａは、上記加入者制御サーバ４００Ａの追加に伴い、図３６に示す移動端末１００、加入者管理サーバ２００、および移動管理ノード３００に対して、各々に、後述する機能が追加されている。
【００２５】
図２は、図１に示す加入者制御サーバ４００Ａの構成例を説明するブロック図である。加入者制御サーバ４００Ａは、加入者制御情報管理ＤＢ（ＤａｔａＢａｓｅ）４０１Ａと、加入者制御要求受信部４０４と、加入者制御情報決定部４０５と、制御権利付与加入者登録部４０６と、加入者制御情報通知部４０７と、を含む。
【００２６】
加入者制御情報管理ＤＢ４０１Ａは、制御権利ＩＤ（Ｉｄｅｎｔｉｆｉｅｒ）内容管理テーブル４０２と、制御権利ＩＤ付与加入者管理テーブル４０３と、を含む。
【００２７】
図３は、制御権利ＩＤ内容管理テーブル４０２の内容の一例である。制御権利ＩＤ内容管理テーブル４０２は、制御権利ＩＤをキーとして加入者制御パラメータを管理する。ここで、加入者制御パラメータは、加入者管理サーバ２１０Ａが管理する加入者情報に対して制御（操作とも言う）する内容を記述するものである。また、制御権利ＩＤは、加入者制御パラメータ（加入者情報に対する制御（操作内容））を識別するＩＤである。
【００２８】
図４は、制御権利ＩＤ内容管理テーブル４０２で管理される加入者制御パラメータの詳細図である。加入者制御パラメータは、加入者管理サーバ２１０Ａが管理する加入者情報の項目毎に制御の種類と制御の内容（設定値）を含む。制御の種類の例としては、追加、削除、変更などを挙げることできる。ひとつの加入者制御情報に対して複数の項目を扱うことも可能である。
【００２９】
ＰＤＮサブスクリプションコンテキストに対する加入者制御パラメータは、複数あるＰＤＮコンテキストの中から制御すべきＰＤＮサブスクリプションコンテキストを特定するための基準となるパラメータを含む。すなわち、ＰＤＮサブスクリプションコンテキストに対する加入者制御パラメータは、制御対象ＰＤＮサブスクリプションコンテキスト識別情報と前記制御対象ＰＤＮサブスクリプションコンテキスト識別情報に対応したＰＤＮサブスクリプションコンテキスト制御内容を含む。
【００３０】
図５は、制御権利ＩＤ付与加入者管理テーブル４０３の内容の一例である。制御権利ＩＤ付与加入者管理テーブル４０３は、制御権利ＩＤと該制御権利ＩＤに対応した加入者制御パラメータを付与した加入者ＩＤをキーとして、所定情報を管理する。ここで、管理情報の例として、加入者ＩＤに対して制御権利ＩＤの付与を開始した時間情報とすることができる。
【００３１】
図２の説明に戻り、加入者制御要求受信部４０４は、加入者管理サーバ２１０Ａから送信される「加入者制御情報要求」を受信し、該要求から制御権利ＩＤと加入者ＩＤとを抽出し、抽出した制御権利ＩＤおよび加入者ＩＤを、加入者制御情報決定部４０５へ通知する。
【００３２】
加入者制御情報決定部４０５は、加入者制御要求受信部４０４から制御権利ＩＤおよび加入者ＩＤを取得する。加入者制御情報決定部４０５は、制御権利ＩＤをキーとして加入者制御情報管理ＤＢ４０１Ａの制御権利ＩＤ内容管理テーブル４０２を検索し、対応する加入者制御パラメータを取得する。加入者制御情報決定部４０５は、制御権利ＩＤと、加入者ＩＤと、加入者制御パラメータとを、制御権利付与加入者登録部４０６へ通知する。
【００３３】
制御権利付与加入者登録部４０６は、制御権利ＩＤ付与加入者管理テーブル４０３に登録されている１つ以上の加入者ＩＤに対して制御権利ＩＤの付与を開始した時間（付与開始時間）を設定する。例えば、制御権利付与加入者登録部４０６は、付与開始時間として、現時点での時刻情報を設定することもできる。そして、制御権利付与加入者登録部４０６は、制御権利ＩＤと、加入者ＩＤと、制御権利ＩＤに対応した加入者制御パラメータとを、加入者制御情報通知部４０７へ通知する。
【００３４】
加入者制御情報通知部４０７は、制御権利付与加入者登録部４０６から取得した制御権利ＩＤと加入者ＩＤと制御権利ＩＤに対応した加入者制御パラメータとを含む加入者制御情報応答を、加入者管理サーバ２１０Ａへ通知する。加入者制御情報応答は、加入者制御情報要求に対する応答情報である。
【００３５】
図６は、図１に示す移動端末１１０Ａの構成例を説明するブロック図である。尚、図６には、加入者制御サーバ４００Ａの追加に関連した機能のみを示す。移動端末１１０Ａは、制御権利ＩＤ入力部１１１と制御権利ＩＤ設定部１１２とを少なくとも含む。
【００３６】
制御権利ＩＤ入力部１１１は、制御権利ＩＤを移動端末１１０Ａに取り込むための手段である。制御権利ＩＤを取り込む方法としては、例えば、ユーザインターフェースを使ってユーザが入力する方法、移動通信システム１０から取得する方法、赤外線通信により取得する方法、ＱＲコードを読取って取得する方法、あるいは、ＮＦＣ（Ｎｅａｒ  Ｆｉｅｌｄ  Ｃｏｍｍｕｎｉｃａｔｉｏｎ）により取得する方法などを挙げることができる。もちろん、制御権利ＩＤを取得する方法は、列挙した上記方法に限定されない。制御権利ＩＤ入力部１１１は、取り込んだ制御権利ＩＤを、制御権利ＩＤ設定部１１２へ通知する。
【００３７】
制御権利ＩＤ設定部１１２は、移動端末１１０Ａが初期接続開始時に送信する接続要求（３ＧＰＰの場合、Ａｔｔａｃｈ  Ｒｅｑｕｅｓｔ）に、移動通信システム上のエンティティ（例えば、移動端末）が加入者情報の制御を要求していることを判別するための第１の加入者情報制御フィールドを設ける。そして、制御権利ＩＤ設定部１１２は、制御権利ＩＤ入力部１１１から入力したままの制御権利ＩＤ、あるいは制御権利ＩＤ設定部１１２自らが選択した制御権利ＩＤを、上記第１の加入者情報制御フィールドに格納する。第１の加入者情報制御フィールドに制御権利ＩＤが設定された接続要求は、図６において不図示の通信手段を介して、移動管理ノード３１０Ａへ送信される。
【００３８】
図７は、図１に示す移動管理ノード３１０Ａの構成例を説明するブロック図である。尚、図７には、加入者制御サーバ４００Ａの追加に関連した機能のみを示す。移動管理ノード３１０Ａは、加入者情報制御フィールドチェック部３１１と制御権利ＩＤ設定部３１２とを少なくとも含む。
【００３９】
加入者情報制御フィールドチェック部３１１は、移動端末１１０Ａから送信される接続要求上記第１の加入者情報制御フィールドが存在するか否かをチェックする。第１の加入者情報制御フィールドが存在する場合、加入者情報制御フィールドチェック部３１１は、第１の加入者情報制御フィールドに格納されている制御権利ＩＤを抽出し、制御権利ＩＤ設定部３１２へ通知する。
【００４０】
制御権利ＩＤ設定部３１２は、加入者管理サーバ２１０Ａへ送信する加入者情報要求（３ＧＰＰの場合、Ｕｐｄａｔｅ  Ｌｏｃａｔｉｏｎ  Ｒｅｑｕｅｓｔ）に、第２の加入者情報制御フィールドを設ける。制御権利ＩＤ設定部３１２は、加入者情報制御フィールドチェック部３１１から取得した制御権利ＩＤを、上記第２の加入者情報制御フィールドに格納する。第２の加入者情報制御フィールドに制御権利ＩＤが設定された加入者情報要求は、図７において不図示の通信手段を介して、加入者管理サーバ２１０Ａへ送信される。
【００４１】
図８は、図１に示す加入者管理サーバ２１０Ａの構成例を説明するブロック図である。尚、図８には、加入者制御サーバ４００Ａの追加に関連した機能のみを示す。
【００４２】
加入者管理サーバ２１０Ａは、加入者情報管理ＤＢ２１１と、加入者情報制御フィールドチェック部２１５と、加入者制御情報取得部２１６と、加入者制御情報登録部２１７と、加入者情報更新部２１８とを少なくとも備える。
【００４３】
加入者情報管理ＤＢ２１１は、デフォルト加入者情報管理テーブル２１２と、制御情報管理テーブル２１３と、制御情報付与後加入者情報管理テーブル２１４とを備える。
【００４４】
デフォルト加入者情報管理テーブル２１２は、一般的な加入者管理サーバが管理している加入者情報である（例えば、図３６参照）。
【００４５】
図９は、制御情報管理テーブル２１３の内容の一例である。制御情報管理テーブル２１３は、加入者ＩＤと該加入者ＩＤに付与する制御権利ＩＤとを主キーとして、制御権利ＩＤに対応した加入者制御パラメータおよび制御権利ＩＤを取得した加入者制御サーバの識別子を管理する。
【００４６】
図１０は、制御情報付与後加入者情報管理テーブル２１４の内容の一例である。制御情報付与後加入者情報管理テーブル２１４は、加入者ＩＤ（例えば、ＩＭＳＩ）をキーとして、デフォルト加入者情報管理テーブル２１２に対して制御情報管理テーブル２１３に登録されている加入者制御パラメータを付与した情報を項目毎に管理する。加入者情報項目毎に付与した制御権利ＩＤも管理する。
【００４７】
図８の説明に戻り、加入者情報制御フィールドチェック部２１５は、移動管理ノード３１０Ａから送信される加入者情報要求に上記第２の加入者情報制御フィールドが存在するか否かをチェックする。第２の加入者情報制御フィールドが存在する場合、加入者情報制御フィールドチェック部２１５は、第２の加入者情報制御フィールドに格納されている制御権利ＩＤと、加入者情報要求に含まれる加入者ＩＤとを、加入者制御情報取得部２１６へ通知する。
【００４８】
加入者制御情報取得部２１６は、加入者情報制御フィールドチェック部２１５から取得した制御権利ＩＤおよび加入者ＩＤを含む加入者制御情報要求を、加入者制御サーバ４００Ａへ送信する。また、加入者制御情報取得部２１６は、加入者制御サーバ４００Ａから、制御権利ＩＤに対応した加入者制御パラメータを含む加入者制御情報応答を受信する。また、加入者制御情報取得部２１６は、制御権利ＩＤと、加入者ＩＤと、制御権利ＩＤに対応した加入者制御パラメータとを、加入者制御情報登録部２１７へ通知する。
【００４９】
加入者制御情報登録部２１７は、加入者制御情報取得部２１６から取得した、加入者ＩＤと制御権利ＩＤと加入者制御パラメータとを、制御情報管理テーブル２１３に登録する。また、加入者制御情報登録部２１７は、加入者ＩＤを含む加入者情報更新依頼を、加入者情報更新部２１８に対して通知する
加入者情報更新部２１８は、加入者制御情報登録部２１７からの加入者情報更新依頼を受けて、加入者ＩＤをキーとしてデフォルト加入者情報管理テーブル２１２からデフォルトの加入者情報を取得する。また、加入者情報更新部２１８は、加入者ＩＤをキーとして制御情報管理テーブル２１３から加入者ＩＤに対応した加入者制御パラメータを取得する。そして、加入者情報更新部２１８は、デフォルト加入者情報に対して加入者制御パラメータを適用し、適用結果を、制御情報付与後加入者情報管理テーブル２１４へ登録する。そして、制御情報付与後加入者情報管理テーブル２１４に格納されている制御情報付与後加入者情報を含む加入者情報応答が、加入者管理サーバ２１０Ａから移動管理ノード３１０Ａへ送信される。
【００５０】
図１１は、第１の実施形態の移動端末１１０Ａの動作例（制御権限ＩＤの入力から接続要求を送信するまでの動作）を示すフローチャートである。
【００５１】
制御権利ＩＤ入力部１１１は、所定の取得方法（例えば、ユーザインターフェースを用いた入力）により、制御権利ＩＤを移動端末１１０Ａ内に取り込む（ステップＳ２００）。制御権利ＩＤ入力部１１１は、取り込んだ制御権利ＩＤを、制御権利ＩＤ設定部１１２へ通知する。
【００５２】
制御権利ＩＤ設定部１１２は、移動端末１１０Ａが初期接続開始時に送信する接続要求（Ａｔｔａｃｈ  Ｒｅｑｕｅｓｔ）に、制御権利ＩＤ入力部１１１より通知された制御権利ＩＤを格納する（ステップＳ２０１）。具体的には、制御権利ＩＤ設定部１１２は、接続要求内に第１の加入者情報制御フィールドを設け、制御権利ＩＤをこの第１の加入者情報制御フィールドに格納する。第１の加入者情報制御フィールドに制御権利ＩＤが設定された接続要求は、移動端末１１０Ａから移動管理ノード３１０Ａへと送信される。
【００５３】
図１２は、第１の実施形態の移動管理ノード３１０Ａの動作例（接続要求の受信から加入者情報要求の送信までの動作）を示すフローチャートである。
【００５４】
まず、移動管理ノード３１０Ａは、移動端末１１０Ａから接続要求を受信する（ステップＳ３００）。加入者情報制御フィールドチェック部３１１は、受信した接続要求の第１の加入者情報制御フィールドに制御権利ＩＤが存在するか否かをチェックする（ステップＳ３０１）。制御権利ＩＤが存在しない場合（ステップＳ３０１においてＮｏ判定）、加入者情報を制御する必要無しと判断できるので、加入者管理サーバ２１０Ａへ送信する加入者情報要求に対して制御権利ＩＤを設定せずに処理を終了する。一方、制御権利ＩＤが存在する場合（ステップＳ３０１においてＹｅｓ判定）、制御権利ＩＤ設定部３１２は、第１の加入者情報制御フィールドチェック部３１１から取得した制御権利ＩＤを、加入者管理サーバ２１０Ａへ送信する加入者情報要求に設定する処理を実行する（ステップＳ３０２）。具体的には、制御権利ＩＤ設定部３１２は、加入者情報要求内に、第２の加入者情報制御フィールドを設け、取得した制御権利ＩＤを、上記第２の加入者情報制御フィールドに格納する。第２の加入者情報制御フィールドに制御権利ＩＤが設定された加入者情報要求は、移動管理ノード３１０Ａから加入者管理サーバ２１０Ａへと送信される。
【００５５】
図１３は、第１の実施形態の加入者管理サーバ２１０Ａの動作例（加入者情報要求を受信し、加入者情報応答を送信するまでの動作）を示すフローチャートである。
【００５６】
まず、加入者管理サーバ２１０Ａは、移動管理ノード３１０Ａから加入者情報要求を受信する（ステップＳ４００）。加入者情報制御フィールドチェック部２１５は、移動管理ノード３１０Ａから送信された加入者情報要求の第２の加入者情報制御フィールドに制御権利ＩＤが存在するか否かをチェックする（ステップＳ４０１）。
【００５７】
制御権利ＩＤが存在する場合（ステップＳ４０１においてＹｅｓ判定）、加入者制御情報取得部２１６は、加入者情報制御フィールドチェック部２１５から取得した制御権利ＩＤと加入者ＩＤを含む加入者制御情報要求を、加入者制御サーバ４００Ａへ送信する（ステップＳ４０２）。その後、加入者管理サーバ２１０Ａは、加入者制御サーバ４００Ａから、加入者制御情報要求の結果としての加入者制御情報応答を受信する。加入者制御情報取得部２１６は、加入者制御情報応答に格納されている制御権利ＩＤに対応する加入者制御パラメータが存在するか否かを判定する（ステップＳ４０３）。
【００５８】
対応する加入者制御パラメータが存在する場合（ステップＳ４０３においてＹｅｓ判定の場合）、加入者制御情報登録部２１７は、加入者制御情報取得部２１６から取得した加入者ＩＤと制御権利ＩＤ及び制御権利ＩＤに対応した加入者制御パラメータを、制御情報管理テーブル２１３に登録する（ステップＳ４０４）。加入者情報更新部２１８は、制御情報付与後加入者情報管理テーブル２１４を、デフォルト加入者情報管理テーブル２１２と制御情報管理テーブル２１３を参照して更新する（ステップＳ４０５）。そして、制御情報付与後加入者情報管理テーブル２１４に格納されている制御情報付与後加入者情報を含む加入者情報応答が、加入者管理サーバ２１０Ａから移動管理ノード３１０Ａへ送信される（ステップＳ４０６）。
【００５９】
一方、制御権利ＩＤが存在しない場合（ステップＳ４０１においてＮｏ判定）、および対応する加入者制御パラメータが存在しない場合（ステップＳ４０３においてＮｏ判定）、ステップＳ４０６の処理が実行される。ただし、この場合、加入者管理サーバ２１０Ａから移動管理ノード３１０Ａへ送信される加入者情報応答には、制御情報付与後加入者情報は含まれていない。
【００６０】
図１４は、第１の実施形態の加入者管理サーバ２１０Ａの動作例（制御情報付与後加入者情報管理テーブル２１４を更新する際の詳細な動作）を示すフローチャートである。
【００６１】
加入者情報更新部２１８は、移動管理ノード３１０Ａから受信した加入者情報要求に格納されている加入者ＩＤをキーとしてデフォルト加入者情報管理テーブル２１２からデフォルトの加入者情報を取得する（ステップＳ５００）。次いで、加入者情報更新部２１８は、加入者ＩＤをキーとして制御情報管理テーブル２１３から加入者ＩＤに対応した加入者制御パラメータを取得する（ステップＳ５０１）。そして、加入者情報更新部２１８は、デフォルト加入者情報管理テーブル２１２から取得したデフォルトの加入者情報に対して、制御情報管理テーブル２１３から取得した加入者制御パラメータを適用し、制御情報付与後加入者情報管理テーブル２１４へ登録する（ステップＳ５０２）。そして、制御情報付与後加入者情報管理テーブル２１４に格納されている制御情報付与後加入者情報を含む加入者情報応答が、加入者管理サーバ２１０Ａから移動管理ノード３１０Ａへ送信される。
【００６２】
図１５は、第１の実施形態の加入者制御サーバ４００Ａの動作例（加入者制御情報要求の受信から加入者制御情報応答の送信までの動作）を示すフローチャートである。
【００６３】
まず、加入者制御要求受信部４０４は、加入者管理サーバ２１０Ａから送信される「加入者制御情報要求」を受信する（ステップＳ６００）。加入者制御情報決定部４０５は、加入者制御要求受信部４０４から制御権利ＩＤを取得する。加入者制御情報決定部４０５は、この制御権利ＩＤをキーとして加入者制御情報管理ＤＢ４０１Ａの制御権利ＩＤ内容管理テーブル４０２を検索し、該制御権利ＩＤに対応する加入者制御パラメータの有無を判定する（ステップＳ６０１）。
【００６４】
対応する加入者制御パラメータが存在しない場合（ステップＳ６０１においてＮｏ判定）、加入者制御情報通知部４０７は、加入者制御パラメータが存在しないという情報を含む加入者制御情報応答を、加入者サーバ２１０Ａへ通知する（ステップＳ６０２）。
【００６５】
一方、対応する加入者制御パラメータが存在する場合（ステップＳ６０１においてＹｅｓ判定）、制御権利付与加入者登録部４０６は、制御権利を付与した加入者を登録する（ステップＳ６０３）。具体的には、制御権利付与加入者登録部４０６は、加入者制御情報管理ＤＢ４０１Ａの制御権利ＩＤ付与加入者管理テーブル４０３の、該加入者ＩＤに対して制御権利ＩＤの付与を開始した時間（付与開始時間）に、現時点での時刻情報を登録する。
【００６６】
加入者制御情報通知部４０７は、制御権利付与加入者登録部４０６から取得した制御権利ＩＤと加入者ＩＤと制御権利ＩＤに対応した加入者制御パラメータとを含む加入者制御情報応答を、加入者管理サーバ２１０Ａへ通知する。
【００６７】
図１６は、第１の実施形態の移動通信システム１０の動作例（移動端末１１０Ａの初期接続時の動作であって、より詳細には、移動端末１１０Ａの接続要求送信から移動管理ノード３１０Ａの通信制御ポリシーが適用されるまでの処理）を説明するためのシーケンス図である。
【００６８】
初期接続処理に入る前提として、移動端末１１０Ａには、制御権利ＩＤ入力部１１１を介して制御権利ＩＤが入力されているものとする。
【００６９】
まず、移動端末１１０Ａの制御権利ＩＤ設定部１１２は、第１の加入者情報制御フィールドに制御権利ＩＤが格納された接続要求（Ａｔｔａｃｈ  Ｒｅｑｕｅｓｔ）を、移動管理ノード３１０Ａへ送信する（ステップＳ７００）。
【００７０】
移動管理ノード３１０Ａの制御権利ＩＤ設定部３１２は、加入者管理サーバ２１０Ａへ送信する加入者情報要求（Ｕｐｄａｔｅ  Ｌｏｃａｔｉｏｎ  Ｒｅｑｕｅｓｔ）に第２の加入者情報制御フィールドを設け、加入者情報制御フィールドチェック部３１１から取得した制御権利ＩＤを格納する。第２の加入者情報制御フィールドに制御権利ＩＤが設定された加入者情報要求は、やがて移動管理ノード３１０Ａから加入者管理サーバ２１０Ａへと送信される（ステップＳ７０１）。
【００７１】
加入者管理サーバ２１０Ａの加入者制御情報取得部２１６は、加入者情報制御フィールドチェック部２１５から取得した制御権利ＩＤと加入者ＩＤを含む加入者制御情報要求を、加入者制御サーバ４００Ａへ送信する（ステップＳ７０２）。
【００７２】
加入者制御サーバ４００Ａの加入者制御要求受信部４０４は、加入者管理サーバ２１０Ａから送信される加入者制御情報要求を受信し、該加入者情報制御要求に格納されている制御権利ＩＤと加入者ＩＤを抽出する。加入者制御情報決定部４０５は、抽出された制御権利ＩＤをキーとして加入者制御情報管理ＤＢ４０１Ａの制御権利ＩＤ内容管理テーブル４０２から前記制御権利ＩＤに対応した加入者制御パラメータを取得する（ステップＳ７０３）。
【００７３】
加入者制御サーバ４００Ａの制御権利付与加入者登録部４０６は、制御権利ＩＤを付与した加入者を登録する（ステップＳ７０４）。制御権利付与加入者登録部４０６は、制御権利ＩＤ付与加入者管理テーブル４０３に登録されている１つ以上の加入者ＩＤに対して制御権利ＩＤの付与を開始した時間（付与開始時間）を設定する。例えば、制御権利付与加入者登録部４０６は、付与開始時間として、現時点での時刻情報を設定する。
【００７４】
加入者制御サーバ４００Ａは、制御権利ＩＤと加入者ＩＤと制御権利ＩＤに対応した加入者制御パラメータとを含む加入者制御情報応答を、加入者管理サーバ２１０Ａへ通知する（ステップＳ７０５）。具体的には、加入者制御サーバ４００Ａの加入者制御情報通知部４０７は、制御権利付与加入者登録部４０６から取得した制御権利ＩＤと加入者ＩＤと制御権利ＩＤに対応した加入者制御パラメータとを含む加入者制御情報応答を、加入者管理サーバ２１０Ａへ通知する。
【００７５】
加入者管理サーバ２１０Ａの加入者制御情報登録部２１７は、加入者制御情報取得部２１６から取得した加入者ＩＤと制御権利ＩＤ及び制御権利ＩＤに対応した加入者制御パラメータを制御情報管理テーブル２１３に登録する（ステップＳ７０６）。
【００７６】
加入者管理サーバ２１０Ａの加入者情報更新部２１８は、制御情報付与後加入者情報管理テーブル２１４を、デフォルト加入者情報管理テーブル２１２と制御情報管理テーブル２１３を参照して更新する（ステップＳ７０７）。
【００７７】
そして、制御情報付与後加入者情報管理テーブル２１４に格納されている制御情報付与後加入者情報を含む加入者情報応答（Ｕｐｄａｔｅ  Ｌｏｃａｔｉｏｎ  Ａｃｋ）が、加入者管理サーバ２１０Ａから移動管理ノード３１０Ａへ送信される（ステップＳ７０６）。
【００７８】
次に、ステップＳ７０９で、ステップＳ７０８の加入者情報応答を取得したモビリティ管理ノード３１０は、取得した加入者情報応答に格納されている加入者ＩＤと加入者情報を通信制御ポリシーとして適用し、前記通信制御ポリシーを基に通信パス（ベアラ）を張る。
【００７９】
以上説明した第１の実施形態において、加入者制御サーバ４００Ａは、加入者情報に対する操作内容（加入者制御パラメータ）を、該操作内容を識別するための制御権利ＩＤと関連付けて保存するデータベースを備える。そして、加入者制御サーバ４００Ａは、このデータベースを参照することにより、加入者管理サーバ２１０Ａを介して所定の通信ノード（例えば、移動端末１１０Ａ）から受信した制御権利ＩＤに対応する操作内容を特定する。特定された操作内容は、加入者管理サーバ２１０Ａへ送信され、該操作内容に基づいて加入者情報は更新される。
【００８０】
すなわち、モバイルオペレータから発行された制御権利ＩＤを移動端末１１０Ａから移動通信システム１０に通知するだけで、移動端末１１０Ａの通信環境を変更することが可能となる。従って、ユーザは、認証や煩雑な設定処理を行うことなく、加入者情報の操作（追加、削除、あるいは変更等）を容易に行うことが可能となる。
【００８１】
しかも、所定の通信ノード（例えば、移動端末１１０Ａ）から加入者制御サーバ４００Ａへの制御権利ＩＤの送信は、既存のリクエスト信号（例えば、Ａｔｔａｃｈ  ＲｅｑｕｅｓｔやＵｐｄａｔｅ  Ｌｏｃａｔｉｏｎ  Ｒｅｑｕｅｓｔ等）を用いて行われる。すなわち、初期接続時も含む任意のタイミングで、加入者情報の操作を行うことが可能となる。例えば、初期接続時に限らず、移動端末１１０Ａが接続を完了する前に、加入者情報（通信制御ポリシー）の変更を行うことも可能である。
【００８２】
また、サービス事業者が、モバイルオペレータから取得した制御権利ＩＤを、制御対象の移動端末に配布するような使用形態も可能となる。この場合、サービス事業者の意向に沿って移動端末を制御することが可能となる。
【００８３】
［第２の実施形態］
第２の実施形態の第１の実施形態に対する違いは、加入者情報の制御タイミングが異なる点にある。第１の実施形態では、移動端末１１０Ａの接続要求時（初期接続時）における加入者情報の制御について説明したが、第２の実施の形態では、初期接続完了後の任意のタイミングでの加入者情報の制御について説明する。
【００８４】
上記機能を実現するために、移動端末および移動管理ノードの構成（および動作）が第１の実施形態とは異なっている。従って、以下の説明では、第１の実施形態から変更の無い構成（すなわち、加入者管理サーバと加入者制御サーバ）についての説明は省略する。
【００８５】
図１７は、第２の実施形態の移動端末１１０Ｂの構成例を説明するためのブロック図である。移動端末１１０Ｂの、第１の実施形態の移動端末１１０Ａ（図６参照）に対する違いは、新たに、加入者情報更新トリガー受付部１２０と加入者情報更新要求送信部１２１が追加された点にある。他の構成要素については、図６に示す移動端末１１０Ａと同一であるため、それらについては図１７において図６と同一の符号を付し、以下での説明を省略する。
【００８６】
加入者情報更新トリガー受付部１２０は、加入者情報の更新を要求するトリガーを受け付ける。トリガーを受け付けた加入者情報更新トリガー受付部１２０は、加入者情報更新要求送信部１２１に対してトリガー発生通知を送信する。尚、加入者情報の更新を要求するトリガーは、ユーザインターフェースを使ってユーザが入力した場合、制御権利ＩＤ入力部１１１に制御権利ＩＤが入力された場合、特定の条件が成立した場合等を挙げることができる。もちろん、トリガーの種類は、これらに限定されない。また、加入者情報更新トリガー受付部１２０は、制御権利ＩＤ入力部１１１によって事前に入力された制御権利ＩＤを保持し、トリガー発生通知を加入者情報更新要求送信部１２１に送信する際にこの制御権利ＩＤを併せて通知する。
【００８７】
加入者情報更新要求送信部１２１は、制御権利ＩＤを含むトリガー発生通知を、加入者情報更新トリガー受付部１２０から取得した際に、制御権利ＩＤと、移動端末１１０ＢのＵＩＣＣに格納されている加入者ＩＤとを含む「加入者情報更新要求」を移動管理ノード３１０Ｂへ送信する。「加入者情報更新要求」は、新規の信号として定義される場合もある。あるいは、既存の信号に、加入者情報制御フィールドを設け、制御権利ＩＤを加入者情報制御フィールドに格納する事で加入者情報更新要求とすることもできる。尚、既存信号の例としては、例えば、３ＧＰＰの場合、Ｔｒａｃｋｉｎｇ  Ａｒｅａ  Ｕｐｄａｔｅ  Ｒｅｑｕｅｓｔ、Ｔｒａｃｋｉｎｇ  Ａｒｅａ  Ｕｐｄａｔｅ  Ｒｅｑｕｅｓｔ、あるいは、ＰＤＮ  Ｃｏｎｎｅｃｔｉｏｎ  ｒｅｑｕｅｓｔを挙げることができる。
【００８８】
図１８は、第２の実施形態の移動管理ノード３１０Ｂの構成例を説明するためのブロック図である。移動管理ノード３１０Ｂは、加入者情報更新要求受信部３２０と、加入者情報要求処理開始部３２１とを少なくとも含む。
【００８９】
加入者情報更新要求受信部３２０は、移動端末１１０Ｂから加入者情報更新要求を受信する。加入者情報更新要求受信部３２０は、加入者情報更新要求から抽出した制御権利ＩＤを、加入者情報要求処理開始部３２１へ通知する。
【００９０】
加入者情報要求処理開始部３２１は、加入者情報更新要求受信部３２０から制御権利ＩＤを受信したタイミング（すなわち、実質的には、トリガーが発生したタイミング）で、以下の処理を実行する。この場合、加入者情報要求処理開始部３２１は、加入者情報要求（例えば、Ｕｐｄａｔｅ  Ｌｏｃａｔｉｏｎ  Ｒｅｑｕｅｓｔ）に、加入者情報制御フィールドを設け、受信した制御権利ＩＤと加入者ＩＤとを、この加入者情報制御フィールドに格納する。そして、加入者情報要求処理開始部３２１は、この加入者情報要求を、加入者管理サーバ２１０Ａへ送信する。
【００９１】
図１９は、第２の実施形態の移動端末１１０Ｂの動作例（加入者情報更新トリガーを取得した際の動作）を示すフローチャートである。
【００９２】
加入者情報更新トリガー受付部１２０は、加入者情報の更新を要求するトリガーを受付けると、制御権利ＩＤ入力部１１１によって事前に入力されている制御権利ＩＤを含むトリガー発生通知を、加入者情報更新要求送信部１２１へ送信する（ステップＳ１０００）。
【００９３】
加入者情報更新要求送信部１２１は、トリガー発生通知を受信した際に、制御権利ＩＤと移動端末１１０ＢのＵＩＣＣに格納されている加入者ＩＤとを、加入者情報更新要求に格納する（ステップＳ１００１）。尚、加入者情報更新要求が３ＧＰＰで定義されている既存信号である場合、加入者情報更新要求送信部１２１は、加入者情報制御フィールドを設け、制御権利ＩＤと加入者ＩＤとを、この加入者情報制御フィールドに格納する。加入者情報更新要求送信部１２１は、制御権利ＩＤと加入者ＩＤとを含む加入者情報更新要求を、移動管理ノード３１０Ｂへ送信する（ステップＳ１００２）。
【００９４】
図２０は、第２の実施形態の移動管理ノード３１０Ｂの動作例（移動端末１１０Ｂから加入者情報更新要求を取得した際の動作）を示すフローチャートである。
【００９５】
加入者情報更新要求受信部３２０は、移動端末１１０Ｂから加入者情報更新要求を受信する（ステップＳ１１００）。加入者情報更新要求受信部３２０は、加入者情報更新要求に格納されている制御権利ＩＤを抽出し、加入者情報要求処理開始部３２１へ通知する。尚、加入者情報更新要求が３ＧＰＰで定義されている既存信号である場合は、加入者情報更新要求受信部３２０は、加入者情報制御フィールドに格納されている制御権利ＩＤを抽出する。
【００９６】
加入者情報要求処理開始部３２１は、加入者情報更新要求受信部３２０から制御権利ＩＤを受信したタイミングで、加入者情報要求に、加入者情報制御フィールドを設け、受信した制御権利ＩＤと加入者ＩＤとを、この加入者情報制御フィールドに格納する（ステップＳ１１０１）。そして、加入者情報要求処理開始部３２１は、この加入者情報要求を、加入者管理サーバ２１０Ａへ送信する（ステップＳ１１０２）。
【００９７】
移動管理ノード３１０Ｂが加入者情報要求を加入者管理サーバ２１０Ａへ送信した後の処理の流れは、第１の実施形態と同じなので省略する。
【００９８】
以上説明した第２の実施形態によれば、初期接続時に限らず、任意のタイミングで、加入者情報の操作を行うことが可能となる。例えば、移動端末１１０Ｂが接続を完了する前に、加入者情報（通信制御ポリシー）の変更を行うことも可能である。
【００９９】
尚、以上説明した第２の実施形態では、加入者情報更新要求を、移動管理ノード３１０Ｂを経由して送信する場合を例に挙げたがこれに限定されることはない。例えば、移動端末１１０Ｂと加入者制御サーバ４００Ａとが直接通信可能なインターフェースを構築することで、加入者情報更新要求を、移動管理ノード３１０Ｂを経由することなく、直接、加入者制御サーバ４００Ａへ送信することも可能である。
【０１００】
［第３の実施形態］
第１の実施形態において、加入者制御サーバ４００Ａは、制御権利ＩＤを提出した加入者に対して上記制御権利ＩＤに対応した加入者制御パラメータを適用する場合について説明した。第３の実施形態では、制御権利ＩＤを適用する条件に基づいて制御権利ＩＤに対応した加入者制御パラメータを適用する点を特徴とする。
【０１０１】
上記特徴を実現するために、本実施形態の場合、加入者制御サーバの構成（および動作）が第１の実施形態とは異なっている。従って、以下の説明では、第１の実施形態から変更の無い構成についての説明は省略する。
【０１０２】
図２１は、第３の実施形態の加入者制御サーバ４００Ｃの構成例を説明するためのブロック図である。加入者制御サーバ４００Ｃは、第１の実施形態における加入者制御サーバ４００Ａ（図２参照）に対して、さらに、制御権利ＩＤ内容管理テーブル４２０と、制御権利付与条件判定部４２１とを、追加した構成となる。なお、図２１において、制御権利ＩＤ内容管理テーブル４２０を含む加入者制御情報管理ＤＢを、加入者制御情報管理ＤＢ４０１Ｃとする。
【０１０３】
図２２は、制御権利ＩＤ内容管理テーブル４２０で管理される内容を示す図である。制御権利ＩＤ内容管理テーブル４２０は、第１の実施形態の制御権利ＩＤ内容管理テーブル４０２（図３参照）に制御権利付与条件が追加されている。制御権利付与条件とは、加入者制御情報要求を送信している加入者に対して制御権利ＩＤに対応する加入者制御パラメータ付与してよいか判断する条件である。制御権利付与条件は、ひとつの制御権利ＩＤに対して複数の条件を設定する事も可能である。制御権利付与条件は、加入者制御情報決定部４０５によって制御権利ＩＤに対応する加入者制御パラメータを取得する際に一緒に取得される。
【０１０４】
図２１の説明に戻り、制御権利付与条件判定部４２１は、制御権利ＩＤ内容管理テーブル４２０に格納されている制御権利付与条件に基づいて、加入者制御要求している加入者に対して制御権利ＩＤに対応する加入者制御パラメータ付与してよいかを判断する。
【０１０５】
図２３は、加入者制御サーバ４００Ｃの動作例を示すフローチャートである。
【０１０６】
加入者制御情報決定部４０５は、制御権利ＩＤ内容管理テーブル４２０から加入者制御要求に格納されている制御権利ＩＤに対応する加入者制御パラメータと制御権利付与条件を取得する（ステップＳ１２００）。
【０１０７】
制御権利付与条件判定部４２１は、加入者制御情報決定部４０５が取得した制御権利付与条件の先頭の条件から判定を進める（ステップＳ１２０１）。
【０１０８】
ここで、条件判定の具体的方法について説明する。例えば、図２２に示す制御権利ＩＤ内容管理テーブル４２０の条件１のように、制御権利ＩＤの付与可能な人数が制限されている場合を例に挙げる。この場合、制御権利付与条件判定部４２１は、制御権利ＩＤ付与加入者管理テーブル４０３の制御権利ＩＤに対応した加入者制御パラメータを付与している加入者の人数をチェックして、制限超過の有無を判断する。一方、条件２のように、特定の加入者への付与を不可とする条件である場合、制御権利付与条件判定部４２１は、加入者制御情報要求に格納されている加入者ＩＤと条件２に規定されている加入者ＩＤとのマッチングをとって判定をする。
【０１０９】
条件が満たされていない場合（ステップＳ１２０１においてＮｏ判定）、制御権利の付与は不可と判断して処理を終了する。
【０１１０】
一方、条件を満たしている場合（ステップＳ１２０１においてＹｅｓ判定）、制御権利付与条件判定部４２１は、制御権利付与条件の判定対象を次の条件に進める（ステップＳ１２０２）。制御権利付与条件判定部４２１は、次の条件が存在するか否かをチェックする（ステップＳ１２０３）。次の条件が存在しない場合（ステップＳ１２０３においてＮｏ判定）、加入者制御情報要求に格納されている制御権利ＩＤに対応する制御権利付与条件は、すべて満たされていると判断できる。従って、制御権利付与条件判定部４２１は、加入者制御情報要求に格納されている加入者ＩＤに対して、制御権利ＩＤに対応する加入者制御パラメータを付与することが可能と判断する（ステップＳ１２０４）。
【０１１１】
以上説明した第３の実施形態において、加入者制御サーバ制御４００Ｃは、制御権利付与条件に基づいて、提出された制御権利ＩＤに対応する加入者制御パラメータを付与するか否かを自動的に判断する。従って、制御権利ＩＤを配布した後であっても、加入者制御パラメータを適用する加入者を制限することが可能となる。例えば、特定のエリアにおいては特定の加入者のみに特定の通信サービスを提供することができるなど、サービス事業者の意向に沿った、付加価値の高い通信制御を実行することが可能となる。
【０１１２】
［第４の実施形態］
第４の実施の形態は、ひとつの加入者ＩＤ対して複数の制御権限ＩＤが行使されて、適用する加入者制御パラメータの制御項目が重複する場合に対応する点に特徴がある。
【０１１３】
上記特徴を実現するために、本実施形態では、加入者制御サーバと加入者管理サーバの構成（および動作）が第１の実施形態とは異なっている。従って、以下の説明では、第１の実施形態から変更の無い構成についての説明は省略する。
【０１１４】
図２４は、本発明の第４の実施形態の加入者制御サーバ４００Ｄの構成例を説明するためのブロック図である。加入者制御サーバ４００Ｄの第１の実施形態における加入者制御サーバ４００Ａ（図２参照）に対する差異は、制御権利ＩＤ内容管理テーブル４３０にある。なお、図２４において、制御権利ＩＤ内容管理テーブル４３０を含む加入者制御情報管理ＤＢを、加入者制御情報管理ＤＢ４０１Ｄとする。
【０１１５】
図２５は、制御権利ＩＤ内容管理テーブル４３０で管理される内容を示す図である。図２５から諒解されるように、制御権利ＩＤ内容管理テーブル４３０は、第１の実施形態の制御権利ＩＤ内容管理テーブル４０２（図３参照）に対して、管理情報の優先度が追加されている。
【０１１６】
上記優先度は、ひとつの加入者ＩＤ対して複数の制御権限ＩＤが行使され、適用する複数の加入者制御パラメータに重複する制御項目があった場合、どの制御権利ＩＤを優先的に反映すればよいか判断するための基準となる情報である。従って、制御権利ＩＤ毎に優先度が設定されている。上記優先度は、加入者制御情報決定部４０５によって制御権利ＩＤに対応する加入者制御パラメータを取得する際に一緒に取得され、加入者管理サーバ２１０Ｄに、制御権利ＩＤに関連する情報として一緒に送られる。
【０１１７】
図２６は、本発明の第４の実施形態の加入者管理サーバ２１０Ｄの構成例を説明するためのブロック図である。加入者管理サーバ２１０Ｄの第１の実施形態の加入者管理サーバ２１０Ａ（図８参照）からの追加要素は重複更新ポリシー２３０であり、変更点は制御情報管理テーブル２３１と加入者情報更新部２３２である。
【０１１８】
加入者情報更新部２３２が制御情報付与後加入者情報管理テーブル２１４を更新する際、ひとつの加入者ＩＤに対して適用する加入者制御パラメータが複数あり、かつ前記複数の加入者制御パラメータに重複する制御項目がある場合がある。重複更新ポリシー２３０には、制御パラメータが複数あり、かつ重複する制御項目がある場合に、どの制御権利ＩＤに対応した加入者制御パラメータを適用するか決定するポリシーが記述されている。例を挙げると、最初もしくは最後に制御情報管理テーブル２３１に登録された制御権限ＩＤを優先して適用する場合や、特定の制御権利ＩＤを優先的に反映させる場合がある。
【０１１９】
本実施形態の重複更新ポリシー２３０では、制御情報管理テーブル２３１に登録されている優先度の値が小さい制御権利ＩＤを優先的に反映すると記述されている。
【０１２０】
図２７は、図２６に示す加入者管理サーバ２１０Ｄを構成する制御情報管理テーブル２３１で管理される内容を示す図である。図２７から諒解されるように、制御情報管理テーブル２３１は、第１の実施形態の制御情報管理テーブル２１３（図９参照）の管理情報に、加入者制御サーバ４００Ｄから取得した加入者制御情報応答に格納されている制御権利ＩＤに対応した優先度の項目が追加されている。
【０１２１】
図２６の説明に戻り、加入者情報更新部２３２は、第１の実施形態の加入者情報更新部２１８の機能に加え、加入者情報を更新する際に、適用すべき加入者制御パラメータが複数あるか、また複数の加入者制御パラメータに重複する制御項目が存在するかチェック機能を備える。重複する制御項目が存在した場合、加入者情報更新部２３２は、重複判定ポリシー２３０を参照し、適用すべき加入者制御パラメータを決定する。
【０１２２】
図２８は、本発明の第４の実施形態の加入者管理サーバ２１０Ｄの動作例を示すフローチャートである。
【０１２３】
加入者情報更新部２３２は、加入者ＩＤをキーとしてデフォルト加入者情報管理テーブル２１２からデフォルトの加入者情報を取得する（ステップＳ１３００）。
【０１２４】
加入者情報更新部２３２は、加入者ＩＤをキーとして制御情報管理テーブル２３１から加入者ＩＤに対応した加入者制御パラメータと優先度を取得する（ステップＳ１３０１）。
【０１２５】
加入者情報更新部２３２は、加入者ＩＤをキーとして制御情報管理テーブル２３１から加入者ＩＤに対応した加入者制御パラメータが複数存在するかチェックする（ステップＳ１３０２）。
【０１２６】
加入者制御パラメータが複数存在する場合（ステップＳ１３０２においてＹｅｓ判定）、加入者情報更新部２３２は、加入者ＩＤをキーとして制御情報管理テーブル２３１から加入者ＩＤに対応した複数の加入者制御パラメータに対して、重複する制御項目があるかチェックする（ステップＳ１３０３）。
【０１２７】
重複する制御項目が複数存在する場合（ステップＳ１３０３においてＹｅｓ判定）、加入者情報更新部２３２は、重複更新ポリシー２３０から適用する制御権利ＩＤを決定するためのポリシーを取得する（ステップＳ１３０４）。本実施形態の重複更新ポリシー２３０では、制御情報管理テーブル２３１に登録されている優先度の値が小さい制御権利ＩＤを優先的に反映すると記述されている。
【０１２８】
加入者情報更新部２３２は、重複更新ポリシー２３０に基づいて、重複する加入者制御パラメータに対してどの制御権利ＩＤを適用するか決定する（ステップＳ１３０６）。本実施形態の場合、重複する制御項目に対して制御情報管理テーブル２３１に登録されている優先度の値がより小さい制御権利ＩＤを採用する。
【０１２９】
加入者情報更新部２３２は、ステップＳ１３００で取得したデフォルトの加入者情報に対して、ステップＳ１３０６で決定した加入者制御パラメータを適用し、制御情報付与後加入者情報管理テーブル２１４へ登録する（ステップＳ１３０７）。
【０１３０】
一方、加入者制御パラメータが複数存在しない場合（ステップＳ１３０２においてＮｏ判定）、および重複する制御項目が複数存在する場合（ステップＳ１３０３においてＮｏ判定）、
加入者情報更新部２３２は、以下の処理を実行する。加入者情報更新部２３２は、ステップＳ１３００で取得したデフォルトの加入者情報に対して、ステップＳ１３０１で取得した加入者制御パラメータを適用する。そして、加入者情報更新部２３２は、加入者制御パラメータを適用した項目毎の情報および加入者情報項目毎に付与した制御権利ＩＤを制御情報付与後加入者情報管理テーブル２１４へ登録する（ステップＳ１３０５）。
【０１３１】
以上説明した第４の実施形態では、ひとつの加入者ＩＤに対して適用する加入者制御パラメータが複数あり、かつ前記複数の加入者制御パラメータに重複する制御項目がある場合、どの制御権利ＩＤに対応した加入者制御パラメータを適用するかを決定する。従って、サービス事業者が提供するサービスの内容が高度化し、加入者制御パラメータが複雑なものとなった場合であっても、容易且つ確実に最適な通信制御ポリシーを適用することが可能となる。
【０１３２】
［第５の実施形態］
第１の実施形態の場合、移動端末１１０Ａから制御権利ＩＤを提出することにより、移動端末１１０Ａのユーザの加入者情報が該制御権利ＩＤに応じた加入者制御パラメータによって制御されていた。一方、第５の実施形態では、無線基地局５００が制御権利ＩＤを保持し、無線基地局５００に接続してきた移動端末のユーザの加入者情報を、無線基地局５００が保持する制御権利ＩＤに応じた加入者制御パラメータによって制御する点を特徴とする。また、無線基地局５００は、移動端末から送信される接続要求及び通信環境更新要求のパラメータを変更する事により、移動端末の通信環境を変更する処理も行う。
【０１３３】
図２９は、本発明の第５の実施形態に係る移動通信システム１０Ｅの構成例を説明するシステム構成図である。移動通信システム１０Ｅは、無線基地局５００をさらに備える。尚、第１の実施形態においては、無線基地局自体には特徴がないため、無線基地局を敢えて記載していないが、本実施形態では、無線基地局５００に特徴があるため、図２９において図示することにした。また、本実施形態の場合、移動端末１００は制御権利ＩＤを保持および送信する必要がないので、図２９に示す移動端末は既存の移動端末１００（例えば、図３６に示す移動端末）であるとする。他の構成要素（加入者管理サーバ、移動管理ノード、加入者制御サーバ）は、第１の実施形態と同一である。尚、無線基地局５００は、例えば、３ＧＰＰにおいては、ｅＮｏｄｅＢ（ｅｖｏｌｖｅｄ  ＮｏｄｅＢ）：マクロセル、Ｈｏｍｅ  ｅＮｏｄｅＢ：フェムトセルに該当する。
【０１３４】
図３０は、無線基地局５００の構成例を説明するためのブロック図である。一般的に、無線基地局は、移動端末の接続要求を受けて、移動管理ノードへ接続要求を転送するという基本的な機能を有している。従って、図３０では、上記基本的機能については記載せず、新規の機能についてのみ記載する。
【０１３５】
無線基地局５００は、制御権利ＩＤ設定ポリシー管理ＤＢ５０１と、接続要求受信部５０２と、制御権利ＩＤ設定部５０３と、接続要求パラメータ変更内容管理ＤＢ５０４、と接続要求パラメータ変更部５０５と、接続要求送信部５０６とを少なくとも含む。
【０１３６】
図３１は、制御権利ＩＤ設定ポリシー管理ＤＢ５０１の内容の一例を示す。制御権利ＩＤ設定ポリシー管理ＤＢ５０１は、移動端末１００の接続要求に付与する制御権利ＩＤを決定するための判断条件を格納する。付与条件の例としては、時間帯毎に付与する制御権利ＩＤを決定する条件、接続要求を送信してくる移動端末１００の特性に応じて付与する制御権利ＩＤを決定する条件、移動端末１００が送信してくる接続要求のパラメータに応じて制御権利ＩＤを決定する条件等を挙げることができる。本実施形態では、移動端末１００が送信してくる接続要求の加入者ＩＤによって付与する制御権利ＩＤを決定する条件が登録してある。
【０１３７】
図３０の説明に戻り、接続要求受信部５０２は、移動端末１００から送信される接続要求を受信し制御権利ＩＤ設定部５０３に通知する。制御権利ＩＤ設定部５０３は、接続要求受信部５０２が受信した接続要求に対してどの制御権利ＩＤを付与するか制御ＩＤ設定ポリシー管理ＤＢ５０１を参照して決定する。さらに、制御権利ＩＤ設定部５０３は、前記接続要求に対して加入者情報制御フィールドを設け、決定した制御権利ＩＤをこの加入者情報制御フィールドに格納する機能を有する。
【０１３８】
図３２は、接続要求パラメータ変更内容管理ＤＢ５０４の内容の一例を示す。接続要求パラメータ変更内容管理ＤＢ５０４は、移動端末１００の接続要求または通信環境更新要求に格納されているパラメータを変更する条件及び変更値を格納する。本実施形態では、移動端末１００が送信する接続要求の加入者ＩＤによって、前記接続要求に格納されている接続先のＰＤＮを示すＡＰＮ（Ａｃｃｅｓｓ  Ｐｏｉｎｔ  ｎａｍｅ）を変更する値が格納されている場合を例に挙げる。
【０１３９】
再び図３０の説明に戻り、接続要求パラメータ変更部５０５は、接続要求受信部５０２が受信した接続要求のパラメータの変更内容を、接続要求パラメータ変更内容管理ＤＢ５０４を参照して決定し、決定した変更内容を前記接続要求に設定する。接続要求送信部５０６は、制御権利ＩＤ設定部５０５が用意した接続要求を移動管理ノード３１０へ送信する。
【０１４０】
図３３は、第５の実施形態の無線基地局５００の動作例（移動端末１００からの接続要求を受信し、接続要求に対して制御権利ＩＤの設定及び要求のパラメータの変更を行う際の動作）を示すフローチャートである。
【０１４１】
接続要求受信部５０２は、移動端末１００から接続要求を受信する（ステップＳ１４００）。制御権利ＩＤ設定部５０３は、制御権利ＩＤ設定ポリシー管理ＤＢ５０１を参照し、接続要求受信部５０２が受信した接続要求に対してどの制御権利ＩＤを付与するかを決定する（ステップＳ１４０１）。本実施形態では、接続要求に格納されている加入者ＩＤによって付与する制御権利ＩＤを決定する。制御権利ＩＤ設定部５０３は、ステップＳ１４００で受信した接続要求に対して加入者情報制御フィールドを設け、ステップＳ１４０１で決定した制御権利ＩＤを、この加入者情報制御フィールドに格納する（ステップＳ１４０２）。
【０１４２】
接続要求パラメータ変更部５０５は、接続要求パラメータ変更内容管理ＤＢ５０４を参照し、接続要求受信部５０２が受信した接続要求のパラメータに対する変更内容を決定する（ステップＳ１４０３）。本実施形態では、移動端末１００が送信する接続要求の加入者ＩＤによって、接続要求に格納されている接続先ＡＰＮを変更する値を決定する。
【０１４３】
接続要求送信部５０４は、前続要求をステップＳ１４０３で決定した接続要求のパラメータの変更内容に基づいて、パラメータを変更する（ステップＳ１４０４）。本実施例では接続要求に格納されている接続先ＡＰＮが変更される。
【０１４４】
接続要求送信部５０４は、ステップＳ１４０２で制御権利ＩＤ設定部５０３が用意した接続要求を移動管理ノード３１０Ａへ送信する（ステップＳ１４０５）。
【０１４５】
図３４は、第５の実施形態の移動通信システム１０Ｅの動作例（移動端末１００の接続時における、無線基地局５００が移動端末１００の接続要求を受けて、移動管理ノード３１０Ａへ接続要求を送信するまでの処理動作）を説明するためのシーケンス図である。
【０１４６】
移動端末１００は、接続要求を無線基地局５００へ送信する（ステップＳ１５００）。無線基地局５００の制御権利ＩＤ設定部５０３は、受信した接続要求に対して、制御権利ＩＤ設定ポリシー管理ＤＢ５０１に格納されている付与条件を参照して付与すべき制御権利ＩＤを決定する（ステップＳ１５０１）。そして、制御権利ＩＤ設定部５０３は、接続要求に対して加入者情報制御フィールドを設け、決定した制御権利ＩＤを、この加入者情報制御フィールド格納する。
【０１４７】
無線基地局５００の接続要求パラメータ変更部５０５は、接続要求パラメータ変更内容管理ＤＢ５０４を参照し、接続要求のパラメータに対する変更内容を決定する（ステップＳ１５０２）。接続要求送信部５０４は、決定した接続要求のパラメータの変更内容に基づいて、パラメータを変更する。
【０１４８】
無線基地局５００の接続要求送信部５０４は、決定した制御権利ＩＤを含むとともにパラメータが変更された接続要求を、移動管理ノード３１０Ａへ送信する（ステップＳ１５０３）。
【０１４９】
移動管理ノード３１０Ａが接続要求を移動端末から受信した後の処理は、第１の実施形態と同じなので省略する。
【０１５０】
以上説明した第５の実施形態によれば、制御権利ＩＤをエンドユーザ（例えば、移動端末）に配布するのではなく、無線基地局に配布することもできる。この場合、無線基地局にて決定された制御権利ＩＤにより、加入者情報の操作（通信制御ポリシーの変更）が行われる。すなわち、第５の実施形態によって、移動端末ではなく無線基地局を主体として通信制御ポリシー変更を行うようなサービス形態にも対応することが可能となる。
【０１５１】
尚、以上説明した第５の実施形態の無線基地局５００は、移動端末１００から送信される接続要求を移動管理ノードに転送する場合も含まれており、必ずしも無線基地局５００において接続要求を終端している場合に限定されない。
【０１５２】
また、以上説明した第５の実施形態において、移動端末１００による接続要求及び通信環境変更要求に対して、無線通信局５００は、制御権利ＩＤの設定及び要求のパラメータの変更が可能である。
【０１５３】
また、以上説明した第５の実施形態において、移動端末１００による接続要求及び通信環境変更要求に対して、無線基地局５００が制御権利ＩＤを設定する処理だけを行うことも可能である。その場合、無線基地局５００において、接続要求パラメータ変更内容管理ＤＢ５０４と接続要求パラメータ変更部５０５とを不要とすることができる。
【０１５４】
［第６の実施形態］
図３５は、本発明の第６の実施形態に係る移動通信システム６００の構成例を説明するためのシステム構成図である。移動通信システム６００は、所定の要求信号を送信する通信ノード６０２と、加入者識別子毎に加入者情報を管理する加入者管理サーバ６０４と、加入者情報を操作可能な加入者制御サーバ６０６と、を備える。加入者制御サーバ６０６は、加入者情報に対する操作内容を、該操作内容を識別するための権利識別子と関連付けて保存するデータベース７００を備える。さらに、加入者制御サーバ６０６は、データベース７００を参照することにより、加入者管理サーバ６０４を介して所定の通信ノード６０２から送信された要求信号に含まれる権利識別子に対応する操作内容を特定し、特定した操作内容を加入者管理サーバ６０４へ送信する制御部７０２を備える。加入者管理サーバ６０４は、加入者制御サーバ６０６から受信した操作内容に基づいて、加入者情報を操作する。
【０１５５】
以上説明した第６の実施形態によれば、容易に、しかも初期接続時も含む任意のタイミングで、加入者情報の操作を行うことが可能となる。
【０１５６】
ところで、移動端末に対して制御できる通信制御ポリシーは多岐にわたる。従って、以上説明した第１〜第６の実施形態は、プリペイドカードによる課金チャージサービスの拡張として、ユーザの移動端末の通信環境を変更するサービスに応用することもできる。
【０１５７】
また、サービス事業者が移動端末のサービス利用時に制御権利ＩＤを配布することで、移動端末がサービス事業者のサービス利用時にサービス事業者の意向に沿って通信環境を一時的に制御することも可能である。例えば、第１の利用例は、コンサートホールのゲートを通ると一時的に通話機能を制限する例である。第２の利用例は、特定のサービスアクセスについては通信料を無料とする例である。第３の利用例は、特定のフェムトセルに接続できるようにする例である。すなわち、モバイルサービスの付加価値の提供や新たなサービスの創出が期待できる。
【０１５８】
また、以上説明した第１〜第６の実施形態は、制御プログラムに基づいて図示しないコンピュータ回路（例えば、ＣＰＵ（Ｃｅｎｔｒａｌ  Ｐｒｏｃｅｓｓｉｎｇ  Ｕｎｉｔ））によって制御され、動作するようにすることができる。その場合、これらの制御プログラムは、例えば、装置またはシステム内部の記憶媒体（例えば、ＲＯＭ（Ｒｅａｄ  Ｏｎｌｙ  Ｍｅｍｏｒｙ）やハードディスク等）、あるいは、外部の記憶媒体（例えば、リムーバブルメディアやリムーバブルディスク等）に記憶され、上記コンピュータ回路によって読み出され実行される。
【符号の説明】
【０１５９】
１０、１０Ｅ    移動通信システム
１００、１１０Ａ、１１０Ｂ    移動端末
１１１    制御権利ＩＤ入力部
１１２    制御権利ＩＤ設定部
１２０    加入者情報更新トリガー受付部
１２１    加入者情報更新要求送信部
２１０Ａ、２１０Ｄ    加入者管理サーバ
２１１    加入者情報管理ＤＢ
２１２    デフォルト加入者情報管理テーブル
２１３    制御情報管理テーブル
２１４    制御情報付与後加入者情報管理テーブル
２１５    加入者情報制御フィールドチェック部
２１６    加入者制御情報取得部
２１７    加入者制御情報登録部
２１８    加入者情報更新部
２３０    重複更新ポリシー
２３１    制御情報管理テーブル
２３２    加入者情報更新部
３１０Ａ、３１０Ｂ    移動管理ノード
３１１    加入者情報制御フィールドチェック部
３１２    制御権利ＩＤ設定部
３２０    加入者情報更新要求受信部
３２１    加入者情報要求処理開始部
４００Ａ、４００Ｃ、４００Ｄ    加入者制御サーバ
４０１Ａ、４０１Ｃ、４０１Ｄ    加入者制御情報管理ＤＢ
４０２    制御権利ＩＤ内容管理テーブル
４０３    制御権利ＩＤ付与加入者管理テーブル
４０４    加入者制御要求受信部
４０５    加入者制御情報決定部
４０６    制御権利付与加入者登録部
４０７    加入者制御情報通知部
４２０    制御権利ＩＤ内容管理テーブル
４２１    制御権利付与条件判定部
４３０    制御権利ＩＤ内容管理テーブル
５００    無線基地局
５０１    制御権利ＩＤ設定ポリシー管理ＤＢ
５０２    接続要求受信部
５０３    制御権利ＩＤ設定部
５０４    接続要求パラメータ変更内容管理ＤＢ
５０５    接続要求パラメータ変更部
５０６    接続要求送信部
６００    移動通信システム
６０２    通信ノード
６０４    加入者管理サーバ
６０６    加入者制御サーバ
７００    データベース
７０２    制御部
【図１】
0005659599.tif 000002
【図２】
0005659599.tif 000003
【図３】
0005659599.tif 000004
【図４】
0005659599.tif 000005
【図５】
0005659599.tif 000006
【図６】
0005659599.tif 000007
【図７】
0005659599.tif 000008
【図８】
0005659599.tif 000009
【図９】
0005659599.tif 000010
【図１０】
0005659599.tif 000011
【図１１】
0005659599.tif 000012
【図１２】
0005659599.tif 000013
【図１３】
0005659599.tif 000014
【図１４】
0005659599.tif 000015
【図１５】
0005659599.tif 000016
【図１６】
0005659599.tif 000017
【図１７】
0005659599.tif 000018
【図１８】
0005659599.tif 000019
【図１９】
0005659599.tif 000020
【図２０】
0005659599.tif 000021
【図２１】
0005659599.tif 000022
【図２２】
0005659599.tif 000023
【図２３】
0005659599.tif 000024
【図２４】
0005659599.tif 000025
【図２５】
0005659599.tif 000026
【図２６】
0005659599.tif 000027
【図２７】
0005659599.tif 000028
【図２８】
0005659599.tif 000029
【図２９】
0005659599.tif 000030
【図３０】
0005659599.tif 000031
【図３１】
0005659599.tif 000032
【図３２】
0005659599.tif 000033
【図３３】
0005659599.tif 000034
【図３４】
0005659599.tif 000035
【図３５】
0005659599.tif 000036
【図３６】
0005659599.tif 000037
【図３７】
0005659599.tif 000038
【図３８】
0005659599.tif 000039